(57)【特許請求の範囲】
【請求項１】
第１の面及びこれに対向する第２の面を有し、前記第１の面側から前記第２の面側に向かって開口の大きさが漸次大きくなる貫通孔が形成された絶縁性基板と、
前記絶縁性基板の前記第１の面側に接合された第１の透明基板と、
前記絶縁性基板の前記第２の面側に接合され、前記第１の透明基板と前記貫通孔と共に液収容部を形成する第２の透明基板と、
前記液収容部の前記第１の面側に収容される導電性の第１の液体であって、水系液体であり、第１の表面エネルギーを有する第１の液体と、
前記液収容部の前記第２の面側に収容される、前記第１の液体と屈折率が異なり、かつ混合することのない絶縁性の第２の液体であって、非水系液体であり、記第１の表面エネルギーより小さい第２の表面エネルギーを有する第２の液体と、
前記貫通孔の周面及び前記第２の面に連続して形成される導電層と、
前記導電層を被覆し、撥水性を有する絶縁層と
を具備する光学素子。
【請求項２】
請求項１に記載の光学素子であって、
前記貫通孔は、一方向の長さが他方向の長さより長い開口形状である
光学素子。
【請求項３】
請求項１又は２に記載の光学素子であって、
前記貫通孔は、前記絶縁性基板の面内において一方向に複数配列されている
光学素子。
【請求項４】
請求項３に記載の光学素子であって、
前記絶縁性基板は、隣接する複数の前記貫通孔の間で前記第２の液体を相互に連通させる通液路を有する
光学素子。
【請求項５】
請求項１に記載の光学素子であって、
前記貫通孔の前記周面と前記第２の面の境界部は、曲面である
光学素子。
【請求項６】
請求項１に記載の光学素子であって
前記導電層は、透明導電膜である
光学素子。
【請求項７】
第１の面及びこれに対向する第２の面を有する絶縁性基板に、前記第１の面側から前記第２の面側に向かって開口の大きさが漸次大きくなる貫通孔を形成し、
前記第２の面及び前記貫通孔の周面に、連続する導電層を形成し、
前記第２の面に第２の透明基板を取り付けて、前記貫通孔と前記第２の透明基板により凹部を形成し、
前記導電層を被覆する、撥水性を有する絶縁層を形成し、
前記凹部に、水系液体であり第１の表面エネルギーを有する導電性の第１の液体と、非水系液体であり前記第１の表面エネルギーより小さい第２の表面エネルギーを有し、前記第１の液体と屈折率が異なり、かつ混合することのない絶縁性の第２の液体を収容し、
前記第１の面に第１の透明基板を液密に取り付ける
光学素子の製造方法。
【請求項８】
請求項７に記載の光学素子の製造方法であって、
前記絶縁性基板に前記導電層を形成する工程は、
前記第２の面が、前記導電層の構成材料を含むスパッタリングターゲットに対向するように、前記絶縁性基板を真空槽内に配置し、
スパッタリング法によって前記第２の面及び前記貫通孔の周面に前記導電層を選択的に形成する
光学素子の製造方法。
【発明の詳細な説明】
【技術分野】
【０００１】
本発明は、エレクトロウェッティング効果（電気毛細管現象）を利用した光学素子及びその製造方法に関する。
【背景技術】
【０００２】
近年、エレクトロウェッティング効果を利用した光学素子の開発が進められている。エレクトロウェッティング効果は、絶縁体を介して導電性を有する液体と電極との間に電圧を印加すると、絶縁体が帯電することによって、絶縁体と液体との界面自由エネルギーが減少し、液体表面の形状（接触角）が変化する現象をいう。
【０００３】
この現象を利用して、電圧によって光学特性を変化させることが可能な光学素子が提案されている。例えば下記特許文献１には、この効果を利用し、印加電圧によって焦点距離を変化させることが可能な光学素子が記載されている。
【０００４】
この、特許文献１に記載の光学素子は、貫通孔が形成された電極層と、その一方の面に接合され、貫通孔の一端を閉塞する第１の透明基板と、電極層の他方の面に密閉層を介して対向配置される第２の透明基板によって、液体を収容するセルが形成されている。また、電極層の、貫通孔の内壁面及び第２の透明基板と対向する面は、撥水性の絶縁層によって被覆されている。そして、このセル内に、導電性の第１の液体と、屈折率を異にし、第１の液体と混和することのない絶縁性の第２の液体とが、上述の貫通孔の中に２液の界面が位置するように充填されている。
【０００５】
この構成によれば、電極層と第１の液体間に電圧を印加すると、電極層と第１の液体が絶縁層を介して対向しているため、電荷が蓄積し、すなわちキャパシタが構成される。この蓄積した電荷により、第１の液体が電極層に引かれて絶縁層上に濡れ広がり、貫通孔の内壁面に対する第１の液体の接触角が変化する（エレクトロウェッティング効果）。その結果、第１の液体と第２の液体の界面（すなわちレンズ）の形状が変化し、当該セルを透過する光の焦点距離を任意に調整することが可能になる。
【０００６】
【特許文献１】特開２００７−２１２９４３号公報（［００８７］、図９）
【発明の開示】
【発明が解決しようとする課題】
【０００７】
上記特許文献１に記載の光学素子は、電極層と第１の液体を絶縁するために、絶縁層が貫通孔以外の面、すなわち、第２の透明基板と対向する電極層の表面にも形成される必要がある。これにより、本来の液体の界面の形状変化に寄与する領域（貫通孔の内壁面）以外の領域、具体的には、電極層が絶縁層を介して第１の液体と対向する領域にキャパシタが構成される。この意図しないキャパシタにより発生する寄生容量によって、該光学素子に交流電圧を印加して焦点距離を変化させる際、消費電力が増大し、応答速度も低下するという問題が生じる。
【０００８】
以上のような事情に鑑み、本発明の目的は、寄生容量を抑制することによって、消費電力が小さく、応答速度の速い光学素子及びその製造方法を提供することを課題とする。
【課題を解決するための手段】
【０００９】
上述の課題を解決するため、本発明の主たる観点に係る光学素子は、第１の面及びこれに対向する第２の面を有し、前記第１の面側から前記第２の面側に向かって開口の大きさが漸次大きくなる貫通孔が形成された絶縁性基板と、前記絶縁性基板の前記第１の面側に接合された第１の透明基板と、前記絶縁性基板の前記第２の面側に接合され、前記第１の透明基板と前記貫通孔と共に液収容部を形成する第２の透明基板と、前記液収容部の前記第１の面側に収容される導電性の第１の液体と、前記液収容部の前記第２の面側に収容される、前記第１の液体と屈折率が異なり、かつ混合することのない絶縁性の第２の液体と、前記貫通孔の周面及び前記第２の面に連続して形成される導電層と、前記導電層を被覆する絶縁層とを具備する。
【００１０】
この構成によれば、液収容部を形成する絶縁性基板は、絶縁性であり、その第１の面側に導電層は存在しない。よって、絶縁性基板の第１の面側に電極が絶縁層を介して導電性の第１の液体と対向する領域、すなわち意図しないキャパシタを構成する領域が存在せず、寄生容量が発生しない。その結果、消費電力が小さく、応答速度の速い光学素子を得ることができる。
【００１１】
本発明に係る光学素子において、前記貫通孔は、一方向の長さが他方向の長さより長い開口形状であるものとしてもよい。
【００１２】
この構成によれば、貫通孔の開口の長手方向に比べて短手方向に大きく入射光を屈折させることができる。また、上記一方向の長さが上記他方向の長さより十分長い開口形状とした場合、シリンドリカルレンズとして機能する光学素子を得ることができる。
【００１３】
本発明に係る光学素子において、前記貫通孔は、前記絶縁性基板の面内において一方向に複数配列されているものとしてもよい。
【００１４】
各々の液収容部を隔てる絶縁性基板の第１の面の面積は、前記第１の面側から前記第２の面側に向かって開口の大きさが漸次大きくなる形状（以下、本明細書において「逆テーパー形状」とも称する）である貫通孔が複数設けられている場合、当該貫通孔が単独で設けられている場合に比べ大きくなり、第１の面と第１の透明基板の間で寄生容量が発生すると、その影響もより大きいものとなる。しかし、この構成によれば、第１の面において寄生容量が発生しないため、貫通孔が複数形成されていても、寄生容量の影響が生じない光学素子を得ることができる。
【００１５】
本発明に係る光学素子において、前記絶縁性基板は、隣接する複数の前記貫通孔の間で前記第２の液体を相互に連通させる通液路を有するものとしてもよい。
【００１６】
この構成によれば、複数配列された貫通孔が形成する液収容部に収容された第２の液体を、各液収容部間において連通させることができ、各液収容部に収容されている第１の液体と第２の液体の体積比を所望の値に保つことができる。
【００１７】
本発明に係る光学素子において、前記貫通孔の前記周面と前記第２の面の境界部は、曲面であるものとしてもよい。
【００１８】
上記光学素子の構造において、液収容部の周面となる貫通孔が形成される絶縁性基板は絶縁体によって形成される。そのため、貫通孔表面には導電層が形成される必要があり、導電層は、外部の電圧印加手段と導通を得るため、絶縁性基板の第２の面にも形成される。この場合、導電層は、貫通孔の周面及び第２の面に連続して形成される必要がある。
【００１９】
この構成によれば、当該境界部が曲面であるため、当該境界部が鋭利である場合に比し、上記貫通孔の周面及び上記第２の面との間にわたって連続する導電層を安定して形成することができる。その結果、導電層の破損、断線等の発生が抑制された安定した導電層を得ることが可能となる。
【００２０】
本発明に係る光学素子であって前記導電層は、透明導電膜であるものとしてもよい。
【００２１】
この構成によれば、導電層によって、光学素子を通過する光が遮られないため、入射光の透過率が高い光学素子を得ることが可能である。
【００２２】
本発明に係る光学素子の製造方法は、第１の面及びこれに対向する第２の面を有する絶縁性基板に、前記第１の面側から前記第２の面側に向かって開口の大きさが漸次大きくなる貫通孔を形成し、前記第２の面及び前記貫通孔の周面に、連続する導電層を形成し、前記第２の面に第２の透明基板を取り付けて、前記貫通孔と前記第２の透明基板により凹部を形成し、前記導電層を被覆する絶縁層を形成し、前記凹部に、導電性の第１の液体と、前記第１の液体と屈折率が異なり、かつ混合することのない絶縁性の第２の液体を収容し、前記第１の面に第１の透明基板を液密に取り付ける。
【００２３】
この製造方法によれば、絶縁性基板の第１の面側に、導電体が絶縁体を介して対向する領域、すなわち意図しないキャパシタを構成する領域を形成しないことが可能である。また、導電層を形成した後に絶縁層を形成することによって、当該導電層を被覆し、導電層と第１の液体を絶縁することが可能である。
すなわち、上述の寄生容量が発生せず、消費電力が小さく、応答速度の速い光学素子を製造することができる。
【００２４】
本発明に係る光学素子の製造方法において、前記絶縁性基板に前記導電層を形成する工程は、前記導電層が、前記導電層の構成材料を含むスパッタリングターゲット（以下、ターゲット）に対向するように、前記絶縁性基板を真空槽内に配置し、スパッタリング法によって前記第２の面及び前記貫通孔の周面に前記導電層を選択的に形成するものとしてもよい。
【００２５】
この製造方法によれば、スパッタリング法は成膜方向に指向性を有することから、導電層を第１の面には形成しないことが可能となる。つまり、ターゲットから叩き出された粒子は直線的に飛散するため、成膜領域は成膜対象物とターゲットとの間の幾何学的配置関係に大きく依存する。したがって、絶縁性基板の第２の面をターゲットに対向配置させることによって、絶縁性基板の第１の面への膜形成を回避できる。
【００２６】
これにより、上述の寄生容量が発生せず、駆動電圧が低く、応答速度の速い光学素子を製造することができる。なお、真空蒸着法やイオンプレーティング法などの他の物理的気相成長法においても同様の効果が得られるので、これらの方法をスパッタ法に代えて適用してもよい。
【発明を実施するための最良の形態】
【００２７】
以下、本発明の実施の形態を図面に基づき説明する。
【００２８】
（第１の実施形態）
本発明の第１の実施形態に係る光学素子について説明する。
図１は本発明の第１の実施形態に係る光学素子の断面図、図２は当該光学素子の平面図である。図１は図２の［Ａ］−［Ａ］線方向断面図である。これらの図に示すように、光学素子１は貫通孔２を有する絶縁性基板３、第１の透明基板４及び第２の透明基板５を有する。第１の透明基板４と第２の透明基板５に絶縁性基板３が挟まれ、貫通孔２と第１の透明基板４及び第２の透明基板５で形成される空間が、導電性の第１の液体１２と絶縁性の第２の液体１３を収容する液収容部６となる。
【００２９】
絶縁性基板３は第１の面７と第２の面８を有し、第１の面７に封止部材１４を介して第１の透明基板４が接合され、第２の面８に第２の透明基板５が接合される。絶縁性基板３の素材は、光透過性が高い絶縁性の合成樹脂材料（例えば、アクリル、ＰＥＴ（Polyethylene Terephthalate）、ポリカーボネート等）から適宜選択することができるが、光透過性が高い他の材料（例えばガラスなど）を用いることによって、光学素子１を通過する光の強度の損失を低減することができる。
【００３０】
絶縁性基板３に形成される貫通孔２は、絶縁性基板３の第１の面７と第２の面８を貫通し、第１の面７側から第２の面８側に開口の大きさが漸次大きくなる逆テーパー形状である。すなわち、貫通孔２の周面が、第１の面７及び第２の面８に対して傾斜しており、その傾斜角は特に限定されないが、例えば、１度〜２０度程度とされる（図１では、傾斜角度を強調して示している）。なお、図示の例では、貫通孔の周面は直線的な傾斜面としたが、これに限らず、曲面形状の傾斜面であってもよい。また、貫通孔２の平面形状は、本実施形態では、Ｘ方向に比べてＹ方向の開口幅が大きい長円形状とされるが、これに限られず、円形、楕円形、長方形などの多角形であってもよい。
【００３１】
詳細は後述するが、貫通孔２の周面が第１の面７あるいは第２の面８となす傾斜角度は、２液の界面形状に影響を与える。また、この傾斜により絶縁性基板３と、第２の透明基板５を接着剤で接着する場合に、はみ出した接着剤が貫通孔２の最小径で決定される光学有効エリアにかかることを防止することが可能である。
【００３２】
また、貫通孔２の、第２の面８側の開口縁が曲面となる（貫通孔２の周面と第２の面８側が滑らかに連続する）ように形成してもよい。これによって、後述するように、貫通孔と第２の面８に連続する導電層９を安定して形成することが可能となる。
【００３３】
封止部材１４はゴム、エラストマー樹脂等液体を封止できる素材によって形成され、絶縁性基板３の第１の面７に、貫通孔２の開口を一周するように設けられる。絶縁性基板３の第１の面７には、絶縁性基板３の凸部からなる封止部材ガイド部１５が設けられており、この封止部材ガイド部１５によって封止部材１４が位置決めされている。
【００３４】
絶縁性基板３の貫通孔２の周面には、第２の面８側と連続する導電層９が設けられている。導電層９のうち、貫通孔２の周面に形成され、電極として機能する部分を電極部９ａとし、第２の面８に形成され、電極部９ａを図示しない外部電源に接続するための配線として機能する部分を配線部９ｂとする。導電層９は、導電性薄膜よりなり、絶縁性基板３の第２の面８側からスパッタリング法などにより形成することができる。導電性材料として酸化スズやＩＴＯ（Indium Tin Oxide）のような透明導電性材料を使用することによって、導電層９による光強度の減少を抑えることが可能である。上述のように、貫通孔２は逆テーパー形状であるため、第２の面８側から、第２の面８及び貫通孔２の周面の全領域に対し、成膜方向に指向性を有するスパッタリング法によって導電層９を選択的に形成することができる。
【００３５】
なお、電極部９ａは、貫通孔２の周面の全領域に形成される必要はなく、後述する、エレクトロウェッティング効果を利用した２液界面の形状変化を発生させるのに必要な領域に形成してもよい。例えば、光学素子１を後述するシリンドリカルレンズとして利用する際には、エレクトロウェッティング効果を発生させる必要がない貫通孔２の周面の領域が存在する場合があるからである。この場合、導通を得るために何れかの箇所において、配線部９ｂと接続している必要がある。また、配線部９ｂも、第２の面８の全領域に形成される必要はなく、外部の電源に接続可能なように形成されればよい。
【００３６】
本実施形態の光学素子１においては、導電層９は、絶縁性基板３の第１の面７には形成されず、第１の面７側において導電層が絶縁層を挟んで導電性の第１の液体１２と対向することが回避されるため、意図しないキャパシタを構成する部分が存在しない。ここで、意図しないキャパシタとは、後述する２液界面の形状変化を発生させるために必要な、貫通孔２の周面に形成されるキャパシタとは異なり、それ以外の部分に形成され、寄生容量を発生させるキャパシタをいう。
【００３７】
導電層９が形成された貫通孔２の周面、絶縁性基板３の第１の面７及び第２の透明基板５の液収容部側の面には絶縁層１０が形成される。絶縁層１０は電極部９ａと後述する液収容部６に収容される液体とが接触しないように、電極部９ａを完全に覆う必要がある。
【００３８】
絶縁層１０は、誘電率が高いものを用いることができる。後述するが、本実施形態では、当該絶縁層１０を挟んで、電極部９ａと第１の液体１２の間に電圧が印加される。ここで、電極部９ａと第１の液体１２の間の静電容量が比較的大きいと、光学素子１の駆動に必要な印加電圧が低くてよく、もしくは絶縁層１０の膜厚を薄くすることができるからである。
【００３９】
また、絶縁層１０は、撥水性を有するものとする。この、絶縁層１０の撥水性により、第２の液体より表面エネルギーの大きい液体である第１の液体１２が、当該絶縁層１０が設けられた面に接触しないように集合する。また、絶縁層１０の撥水性により、後述する、２液界面の形状が影響を受ける。
【００４０】
以上のように、絶縁層１０は絶縁と撥水の二つの機能を有するものである。このため、絶縁層１０は、電極部９ａを完全に覆うという条件を満たす必要があり、また、少なくとも２液界面の近傍（エレクトロウェティング効果による第１の液体１２の移動に係る領域）に形成される必要がある。
【００４１】
撥水性、絶縁性を有する絶縁層１０の素材としてパリレン（パラキシリレン系樹脂）、ＰＶＤＦ（PolyVinylidine DiFluoride）、等が挙げられる。これらはＣＶＤ（Chemical Vapor Deposition）法、コート法等によって形成される。また、誘電率が高い素材である、酸化タンタル、酸化チタン等を形成し、撥水性が高い素材であるＰＴＦＥ（PolyTetraFlouroEthylene）等をその上層に形成する積層構造であってもよい。
【００４２】
なお、絶縁性基板３の第１の面７及び第２の透明基板５の液収容部側の面に形成される部分等の電極部９ａが形成されていない領域に形成される絶縁層１０は、電極部９ａを覆うものではない（すなわち、誘電率が高いものである必要はない）ため、上記積層構造とする場合でも、誘電率が高い素材を下層として形成する必要はない。また、電極部９ａと第１の液体１２との間の電気的絶縁が確保されている限りにおいて、第１の透明基板４と対向する絶縁性基板３の表面全域に、絶縁層１０が形成されていなくてもよい。
本実施形態では、絶縁層１０として、パリレンをＣＶＤ法により成膜した。
【００４３】
第１の透明基板４及び第２の透明基板５は、ガラス基板や非導電性プラスチック等で形成される。後述するが、これらの基板は、透明度が高い素材で構成することができる。この場合、光強度の減少を抑えられるので、光学素子１の入射光あるいは透過光の経路上に存在させても影響が少ない。
【００４４】
第１の透明基板４の液収容部側の面には、配線１１が設けられる。配線１１は第１の液体１２と導通を得る目的であるため、第１の透明基板４の液収容部側の全領域に設けられる構成に限らず、図１に示すように、外部の電源に接続可能なように所定の形状にパターニングされていてもよい。素材として酸化スズやＩＴＯのような透明導電性材料を使用することによって、前述のように光強度の減少を抑えることが可能である。
【００４５】
上述のようにして形成された液収容部６には第１の液体１２と第２の液体１３が収容される。ここで、この２液は、互いに混合せず、かつ絶対屈折率が異なるものである必要がある。２液が混合する場合、２液界面が生じず、屈折率が同じであれば、界面形状による光学特性が得られないからである。また、２液の比重を同等とすることによって、光学素子１の振動等の物理的挙動に対して２液界面が大きく変化し、光学特性に影響を与えることを防止することができる。さらに、後述するように、２液の界面を変形させて使用するため、第１の液体１２と第２の液体１３は共に、粘度が低いものとしてもよい。加えて、２液のうち少なくとも１液は、着色されていてもよい。
【００４６】
第１の液体１２は、導電性あるいは有極性の液体である。光透過率が高いものが好適である。水、電解液（塩化ナトリウム水溶液、塩化リチウム水溶液等）、アルコール類（メタノール、エタノール等）、常温溶融塩等を用いることが可能である。本実施形態では、塩化リチウム水溶液（3.36wt%、絶対屈折率1.34）を第１の液体１２とした。
【００４７】
第２の液体１３は、絶縁性の非水系液体である。光透過率が高いものを使用することができ、例えば、炭化水素（デカン、ドデカン、ヘキサデカン、ウンデカン等）、疎水性シリコーンオイル、フッ素系材料等を用いることが可能である。本実施形態では、シリコーンオイル（モメンティブ・パフォーマンス・マテリアルズ・ジャパン合同会社製TSF437、絶対屈折率1.49）を第２の液体１３とした。
【００４８】
図１に示すように、液収容部６に第１の液体１２、第２の液体１３を収容すると、２液は混合しないため２層に分離する。本実施形態では、絶縁性基板３の貫通孔２の周面及び第２の透明基板５の液収容部側の面（以下、撥水領域）に撥水性を有する絶縁層１０が形成されているので、第２の液体より表面エネルギーの大きい第１の液体１２が弾かれて第１の透明基板４側に集合し、第２の液体１３が第２の透明基板５側に集合する。
【００４９】
次に２液の界面の形状について説明する。
図３は、貫通孔２の周面と、２液の界面の接触の様子を示す模式図である。
同図に示すように、２液界面と周面は、接触角θを有して接触する。
【００５０】
ここで、接触角θは、第１の液体１２と第２の液体１３の間（γ１）、第２の液体１３と周面の間（γ２）、周面と第１の液体１２の間（γ３）のそれぞれに生じる界面張力の相互作用により決定する。
界面張力γ２、γ３は、周面の材質（すなわち絶縁層１０の材質）による影響を受ける。
【００５１】
界面の形状は上述の接触角θの影響に加え、第１の液体１２と第２の液体１３の間（γ１）の界面張力による作用を受ける。すなわち、界面張力γ１が小さいと、貫通孔２の周面近傍では上述の相互作用を受けるが、周面から遠い領域（バルク領域）ではフラットな２液界面となる。
【００５２】
また、２液界面の形状は、貫通孔２の周面の傾きと、貫通孔２の開口の形状による影響を受ける。
図１、図２に示すＸ、Ｙ、Ｚ方向に従って説明する。
界面の、Ｚ−Ｘ平面（あるいはＹ−Ｚ平面）上の形状、すなわち断面形状は、貫通孔２の周面の傾きによって影響を受ける。
周面がＸ−Ｙ平面に対して垂直である場合、２液界面は、上述のように周面に対しある接触角θを有する。これに対し、周面がＸ−Ｙ平面に対して傾いている場合、接触角θは周面が垂直である場合と同一であるため、２液界面の曲率は、両場合で異なるものとなる。
【００５３】
また、Ｘ−Ｙ平面上の界面の形状は、貫通孔２の開口の形状と同一となる。貫通孔２の開口を円形とすると、界面形状も円形となり、かつ上述のように曲面であるため、非球面状、球面状あるいは球面に近似する形状となる。また、貫通孔２の形状を、Ｘ方向の長さに対してＹ方向に十分長い長円形状とすると、界面の形状は、Ｙ方向の曲率がほぼ０となり、貫通孔２の周面から遠ざかるほど直線的となり、Ｘ方向にのみ湾曲するシリンドリカル（円筒状）形状となる。
【００５４】
以上のように、接触角θ、界面張力（γ１）、貫通孔２の形状によって、２液界面の形状が決定される。
本実施形態の構成では、第１の液体１２と第２の液体１３が形成する２液界面は、第１の液体１２が凸状、第２の液体１３が凹状である曲面となる。貫通孔２は、Ｘ方向の長さがＹ方向の長さに比べ十分長く形成されているため、上記Ｘ方向にのみ湾曲するシリンドリカル形状となる。かつ、貫通孔２は逆テーパー形状に形成されている（すなわち周面が傾いている）ため、周面が垂直である場合に比べ、曲率が大きくなる。
【００５５】
次に、このように構成された光学素子１の動作を説明する。
【００５６】
電圧非印加時には、２液界面は、上述のように、貫通孔２の形状と、第１の液体１２、第２の液体１３、絶縁層１０の物性値によって規定される曲面となる。この２液界面は、屈折率が異なる境界であるため、入射した光を収束あるいは発散させる、即ちレンズ面として機能する。屈折率の差が大きいほど、レンズパワーが大きくなる。Ｚ方向から入射した光に対してのレンズ効果を以下で説明する。
【００５７】
図４は入射光及び透過光の経路を示す図である。（Ａ）は電圧非印加時、（Ｂ）は電圧印加時である。
図４（Ａ）に示すように、光学素子１へのＺ方向、第１の透明基板４からの入射光は、第１の液体１２の絶対屈折率が第２の液体１３の絶対屈折率より小さいため、２液界面で屈折し、ある焦点距離において発散する。
【００５８】
後述する電圧印加時の光学素子１を示す図４（Ｂ）においては、電圧非印加時より２液界面の曲率が小さいため、より焦点距離が長くなる。
本実施形態においては、第１の液体１２の絶対屈折率が第２の液体１３の絶対屈折率より小さいため、屈折率の大小が逆の場合に比べ、２液界面での反射による光強度の損失が少ない。
【００５９】
上述したように、貫通孔２のＸ−Ｙ平面上の形状により、２液界面のＸ−Ｙ平面上における形状が規定される。２液界面の形状が球面形状（あるいは球面に近似する形状）である場合、Ｚ方向からの入射光は、Ｘ方向、Ｙ方向ともに光入射側に単一の焦点を有して発散する。２液界面の形状がＸ方向にのみ湾曲するシリンドリカル形状である場合、Ｚ方向からの入射光は、Ｙ方向に伸びる焦線（焦点の集合）を有してＸ方向にのみ発散し、Ｙ方向には直進する。
【００６０】
本実施形態に係る光学素子１は、上述したように、貫通孔２が逆テーパー形状であるため、図４（Ａ）に示す電圧非印加時における２液界面の曲率が大きい。これは入射光を屈折させる能力、すなわちレンズパワーがより大きいことを意味する。
【００６１】
なお、本実施形態とは異なり、第１の液体１２の絶対屈折率が第２の液体１３の絶対屈折率より大きい場合は、入射光は２液界面を通過することによって収束する。
【００６２】
電圧印加による２液界面の形状変化について、以下で説明する。
なお、電圧非印加時の第１の液体１２の接触角をθ０、電圧印加時の接触角をθＶとする。
ここで、電極部９ａは貫通孔２の周面の全領域に形成されているものとして説明する。
上述したように、本実施形態に係る光学素子１では第１の液体１２が凸状、第２の液体１３が凹状となる２液界面が形成される。この光学素子１の第１の液体１２と電極部９ａの間に、外部電源によって電圧を印加することによって、エレクトロウェッティング効果による２液界面の変形が起こる。上記外部電源は、直流電源でもよいし、交流電源でもよい。
【００６３】
第１の液体１２と電極部９ａの間に電圧Ｖを印加すると、静電ポテンシャルが発生し、第１の液体１２及び電極部９ａ中の電荷が移動する。その結果、第１の液体１２の表面と、電極部９ａに、絶縁層１０及び第２の液体１３を介して、異なる電荷が蓄積しキャパシタを構成する。この電荷が引きあうことによって、第１の液体１２と貫通孔２の周面間の界面張力（γ３）と逆向きの電荷による圧力（Π）が発生し、界面張力（γ３）が打ち消されるため、第１の液体１２の接触角は接触角θ０から接触角θＶまで増大する。第１の液体１２と第２の液体１３の体積は一定なため、当該接触角θＶを満たすために、第１の液体１２が貫通孔２の周面に沿って、第２の透明基板５側に移動し（濡れ広がり）、第２の液体１３はバルク領域に移動する。これによって、２液界面の曲率が減少する。
【００６４】
電圧の印加を停止すると、第１の液体１２及び電極部９ａに蓄積された電荷が解消され、電圧非印加時の２液界面の形状に戻る。
印加電圧の大小によって、電荷による圧力（Π）が増減するため２液界面の曲率をリニアに変化させることが可能である。
【００６５】
以上を式を用いて説明する。
【００６６】
γ３＝γ２＋γ１ｃoｓθＶ＋Π                            ・・・（１）
ｃｏｓθ０＝（γ３−γ２）／γ１                          ・・・（２）
Π＝ε０・ε・Ｖ２／２ｅ                                ・・・（３）
ｃｏｓθＶ＝ｃｏｓθ０−ε０・ε・Ｖ２／（２ｅ・γ３）      ・・・（４）
【００６７】
図３において、２液界面と周面の接触する点に作用する力の平衡は、式（１）で表される。ここで、電圧非印加時での接触角θ０は式（２）、電荷による圧力Πは、式（３）で表されるので、式（２）及び式（３）を式（１）に代入し、接触角θＶが電圧Ｖの関数として表される式（４）が得られる。なお、ε０は真空の誘電率、εは絶縁層の比誘電率、ｅは絶縁層の膜厚である。
【００６８】
上述のように、導電体（第１の液体１２、電極部９ａ）中の電荷は絶縁体（絶縁層１０、第２の液体１３）を介して対向しており、電圧が印加された際にキャパシタとして機能する。このキャパシタとして機能する領域、即ち、電圧が印加される二つの導電体が、絶縁体を介して対抗する領域は必要最小限である方がよい。２液界面の形状変化に寄与しない（意図しない）キャパシタを構成する領域が存在することにより、当該領域にも電荷を蓄積させる必要があるため、２液界面の形状変化に必要な電荷量、すなわち消費電力が増大し、応答速度も低下するからである。
【００６９】
光学素子１においては、貫通孔２が設けられた基板は絶縁体からなり、電極部９ａが設けられた領域のみがキャパシタとなるため、意図しないキャパシタ（寄生容量）は存在しない。よって消費電力が小さく、応答速度の速い光学素子を得ることができる。
【００７０】
なお、キャパシタ（２液界面の形状変化に寄与する部分に限る）は、静電容量が大きいほうが、低い電圧で多くの（２液界面の形状を変化させる）電荷を蓄積することが可能であり好適である。上述したように、絶縁層１０を誘電率の高い材料で形成することによって、この大きな静電容量を得ることが可能である。
【００７１】
光学素子１を実際に使用する場合の動作についてここで説明する。カメラのストロボフラッシュの配光角調節に用いる場合を例とする。ここでは、ストロボフラッシュの光源及びリフレクターの前面に、第１の透明基板４が光源側となるように取り付けた例を説明するが、第２の透明基板５側が光源側となるように取り付けてもよい。
電圧非印加時において、ストロボフラッシュから発し、リフレクターで反射した光は光学素子１に第１の透明基板４側から入射する。この入射光は、前述のように２液界面において屈折し、拡散する。
【００７２】
例えば、より遠い焦点距離によって撮像が所望される場合、光学素子１に電圧が印加される。これによって、前述のように２液界面の形状が変化し、曲率が減少する。この場合において、光学素子１に第１の透明基板４側から入射した光は、２液界面において屈折するが、２液界面の曲率が減少しているため、その程度は小さい。すなわち電圧非印加時に比べてその配光角は減少し、より遠方に照射される。
【００７３】
本実施形態に係る光学素子１は、機械的構成を持たないため従来の配光角調整機構に比べて小型軽量化することが可能であり、応答速度も速い。また、電圧が印加される際に電流はほとんど流れないため消費電力は極めて小さい。
【００７４】
なお、電極部９ａが、貫通孔２の周面の一部にのみ形成されている場合を説明する。これは例えば、２液界面を、上述のシリンドリカル形状とし、当該界面をＹ方向に湾曲させる必要はない場合である。この場合、貫通孔２の周面であってＹ方向の湾曲にのみ寄与する領域（Ｘ―Ｙ平面に平行な領域）には電極部９ａを形成する必要がない。このように、電極部９ａを形成した領域のみでエレクトロウェッティング効果が発生するため、所望の方向にのみ２液界面を湾曲させることが可能である。なお、比較例として、本実施形態の絶縁性基板３に相当する部品を導電性の素材により形成した場合、本実施形態のように、任意の領域にのみエレクトロウェッティング効果を発生させる光学素子を得ることは不可能である。
【００７５】
次に、光学素子１の製造方法を説明する。
図５、図６、図７は、本実施形態に係る光学素子１の製造プロセスを示す。
これらの図では、図１、図２に示すＸ―Ｚ平面を示し、貫通孔２の傾斜角度は強調されている。
【００７６】
図５は光学素子１の製造プロセスのうち、基板工程を示す図である。
合成樹脂等の素材を射出成形などの金型成型技術を用いることによって、図５（Ａ）に示すように、貫通孔２、第１の面７及び第２の面８を有する絶縁性基板３を形成する。
【００７７】
貫通孔２は、開口の大きさが、第１の面７側から第２の面８側に向かって漸次大きくなる（逆テーパー）形状となるように形成される。この逆テーパー形状は、絶縁性基板３を金型から取り外す際の抜き勾配とすることが可能である。これは、例えば、第２の面８及び貫通孔２を形成する金型（金型ａ）と、第１の面７及び封止部材ガイド部１５を形成する金型（金型ｂ）の二つの金型を用いて絶縁性基板３を形成する場合、金型ａを取り外す際に貫通孔２の周面から受ける摺動抵抗を軽減するものである。本実施形態における貫通孔２の周面は、第２の面８に向かって広がっているため、この周面の傾斜を金型（金型ａ）からの抜き勾配として利用することが可能である。
【００７８】
次に図５（Ｂ）に示すように、貫通孔２の周面及び第２の面８に、導電層９を形成する。
図８は、この導電層９のスパッタリング法による成膜の様子を示す図である。真空槽１６中に、導電層９の原料からなるスパッタリングターゲット（以下、ターゲット）１７と、ターゲット１７に対向する位置に、絶縁性基板３が、第２の面８がターゲット１７に対向するように配置されている。スパッタリングによりターゲット表面から生じたスパッタ粒子は、同図に矢印で示すように、ターゲット１７から、絶縁性基板３に向かって直線的に飛散する。一般に高い指向性を有するスパッタ粒子は、ターゲットに対向する領域にのみ到達するが、本実施形態の貫通孔２の周面は、前述のように、逆テーパー形状であるため、周面の全領域に到達し、膜を形成する。つまり、第２の面８と貫通孔２の周面に導電層９を形成することが可能である。
【００７９】
ここで、予め、貫通孔２の周面あるいは第２の面８にマスキングを施しておくことによって、前述のように、任意の領域にのみ導電層９（電極部９ａ及び配線部９ｂ）を形成することが可能である。
以上では導電層９をスパッタリング法により形成する方法を示したが、メッキ等の方法を使用することも可能である。例えば、上述のスパッタリング法により成膜し、その膜を電極として電解メッキをする方法も、スパッタリング法では比較的成膜速度が低いため効果的である。
【００８０】
次に図５（Ｃ）に示すように、絶縁性基板３の第２の面８に第２の透明基板５を取り付ける。これによって、貫通孔２を側面、第２の透明基板５を底面とする凹部が形成される。
また、第２の面８に接着剤を塗布し、第２の透明基板５を接着する方法、第２の面８にシールリングを設け、第２の透明基板５を螺子等により締結する方法等により、液収容部６内の液体が漏出しないように取り付ける必要がある。ここで、接着剤を用いて接着する場合、貫通孔２と第２の面８の境界部と、第２の透明基板５が接する箇所（同図に５０１で示す箇所）において、当該接着剤が食み出す場合がある。本実施形態に係る光学素子１においては、貫通孔２が逆テーパー形状であるため、食み出した接着剤は、（多量である場合を除き）貫通孔２の最小径で決定される光学有効エリアに係ることがない。なお、接着剤としては、ＵＶ(UltraViolet)硬化性樹脂、熱硬化性樹脂、熱可塑性樹脂等が挙げられる。
【００８１】
次に図５（Ｄ）に示すように、絶縁性基板３の第１の面７、貫通孔２の周面、第２の透明基板５の液収容部６側の面に、絶縁層１０を形成する。
これは例えばＣＶＤ法によって形成することができる。絶縁層１０は、絶縁性基板３と、第２の透明基板５の、現段階における外面の全領域に形成されるため、成膜方法は、指向性を有するものに限られない。上述したように、絶縁性基板３の第１の面７、貫通孔２の周面、第２の透明基板５の液収容部６側の面、すなわち液収容部６の内面となる領域には絶縁層１０を設ける必要があるが、それ以外の面には設けてもよいし、設けなくてもよい。また、上述したように、予め電極部９ａの表面に、高い誘電性を有する材料からなる層を形成しておき、その上に撥水性の高い材料からなる層を形成してもよい。絶縁層１０の成膜方法はここで示すＣＶＤ法に限られず、コート法その他の成膜方法を用いることができる。
【００８２】
図６は光学素子１の製造プロセスのうち、液入れ工程を示す図である。
図６（Ａ）に示すように、基板工程で作製したものに、第１の液体１２を所定量充填する。第１の液体１２の体積によって、２液界面の形状も影響を受けるため、所定量を確実に充填することが必要である。
次に図６（Ｂ）に示すように、封止部材１４を取り付ける。これは封止部材ガイド部１５に嵌合等することによって取り付けられる。
次に図６（Ｃ）に示すように、第２の液体１３を所定量充填する。これは例えばディスペンサー等によって、液収容部６に注入される。
【００８３】
以上の液入れ工程における、２液の充填の順序は特に限定されない。しかし、後述するように、液収容部６が複数形成され、第１の液体が各液収容部６間を通液することが可能な光学素子を製造する場合には、本実施形態に示した順序にすることによって、各液収容部６における２液の体積比を所望の割合にすることが容易になる。本実施形態に示した様に第１の液体１２を先に充填することによって、後に注入される第２の液体１３が、撥水性に弾かれる第１の液体１２によって蓋をされた形になり、所定量が収容される。第１の液体１２は、他の液収容部６と通液することが可能であるので、第２の液体１３が所定量収容されれば自ずから所定量収容される。第２の液体１３を第１の液体１２より先に充填する場合、第２の液体１３が他の液収容部６に通液し得るため、各液収容部６において、２液の体積比が所望の割合から逸脱する可能性がある。
【００８４】
図７は光学素子１の製造プロセスのうち、封止工程を示す図である。
図７（Ａ）に示すように、上述の２液を充填したものに、第１の透明基板４を取り付ける。ここで、第１の透明基板４には予め配線１１が設けられている。配線１１は、金属等をスパッタリング法等によって成膜した後、エッチング処理して回路パターンを形成する方法や、あらかじめ成膜領域にレジストパターンを形成しておき、成膜後、当該レジストパターンを除去する方法（リフトオフ法）を用いることができる。
【００８５】
この第１の透明基板４を配置した後、同図に示すように、加圧装置２３により、第１の透明基板４及び第２の透明基板５に圧力を加える。これによって、封止部材１４が変形し、その弾性によって、液収容部６内の液体が封入される。次に、この圧力を加えた状態を保持することが可能なクランプ１８を配置する。
【００８６】
次に図７（Ｂ）に示すように、このクランプ１８に圧着装置１９により、圧力を加えて変形させ、圧着する。このクランプ１８は、特にある形状に限定されるものではないが、導電層９の配線部９ｂ及び配線１１が、外部の電源と導通を得ることが必要である。
以上の製造方法によって、図７（Ｃ）に示すように、光学素子１が製造される。なお、絶縁性基板３に対する第１の透明基板４の固定にはクランプ１８を用いたが、接着剤を用いた接合などの他の手段により固定する構造とすることも可能である。
【００８７】
（第２の実施形態）
本発明の第２の実施形態に係る光学素子について説明する。これ以降の説明では、第１の実施形態に係る光学素子が有する構成や機能等について同様のものは説明を簡略化または省略し、異なる点を中心に説明する。
【００８８】
図９は、本発明の第２の実施形態に係る光学素子２０の断面図、図１０は当該光学素子２０の平面図である。図９は図１０の［Ｂ］−［Ｂ］線方向断面図である。
これらの図に示すように、光学素子２０は、逆テーパー形状である３つの長円形状の貫通孔２ａ、２ｂ、２ｃがＸ方向に配列している絶縁性基板３と、第１の透明基板４と、第２の透明基板５を有する。貫通孔２ａ、２ｂ、２ｃと第１の透明基板４と第２の透明基板５によって、液収容部６ａ、６ｂ、６ｃが形成され、第１の液体１２と第２の液体１３が収容されている。
【００８９】
図９に示すように、液収容部６ａ、６ｂ、６ｃは互いに絶縁性基板３の隔壁によって隔てられているが、これらの隔壁と第１の透明基板４との間には間隙が存在するため、第１の液体１２は当該間隙を通り、各液収容部６ａ、６ｂ、６ｃ間を連通することができる。また、第１の実施形態に係る光学素子１と同様に、貫通孔２ａ、２ｂ、２ｃの周面及び第２の面８には導電層９が形成され、その上を覆う絶縁層１０が形成されている。ここで、貫通孔の数は３つに限られず、配列も適宜変更することが可能である。
【００９０】
また、各液収容部６ａ、６ｂ、６ｃ間に、第２の液体１３を連通させるための通液路２２を設けてもよい。この通液路２２を設けることによって、光学素子２１の物理的挙動等により、各液収容部６ａ、６ｂ、６ｃにおける２液の体積比が所定の値から変動したとしても、第１の液体１２が受ける撥水効果の均衡をとろうとして、第１の液体１２は上記の間隙を通って、第２の液体１３は通液路２２を通って（従前の体積比を満たすように）移動し、すなわち自ずから所定の体積比に戻る光学素子２１を得ることが可能である。また、上述の液入れ工程においても、第１の液体１２と第２の液体１３を充填すれば（充填する順序に係わらず）、各液収容部６ａ、６ｂ、６ｃにおいて所定の体積比を得ることができる。
【００９１】
第１の実施形態と同様に、液収容部６ａ、６ｂ、６ｃに収容された第１の液体１２と第２の液体１３のそれぞれの界面によってレンズ効果が得られ、導電層９の電極部９ａと第１の液体１２に印加された電圧によって、エレクトロウェティング効果によるそれぞれの２液界面の形状変化、すなわち、光学特性の変化が生じる。
【００９２】
この構成により、第１の実施形態に係る光学素子１と同様に、Ｚ方向からの入射光を収束あるいは発散させることができる。ここで、液収容部６ａ、６ｂ、６ｃはＸ方向に配列
しているため、入射光に対してＸ方向における発散の効果を得るために必要な貫通孔２ａ、２ｂ、２ｃのＸ−Ｙ平面における開口の面積は、液収容部６が単独で設けられている第１の実施形態の場合に比べ小さくてよい。開口の面積が小さいと、（電圧の印加時、非印加時共に）２液界面に同じ曲率を発生させるために必要な（Ｚ方向の）開口の深さも浅くてよいので、光学素子のＺ方向における長さ（厚み）を小さくすることができる。
【００９３】
また、導電層９の配線部９ｂを、上述のようにパターニングして液収容部ごとの回路を形成するように外部電源と接続させることによって、それぞれの液収容部において、独立にエレクトロウェッティング効果を発生させることも可能である。
【００９４】
本実施形態に係る光学素子２１では、貫通孔２が単独で形成されている場合（第１の実施形態の場合）に比べ、絶縁性基板３の第１の面７の面積が大きい。各液収容部６ａ、６ｂ、６ｃを隔てる隔壁上の領域（図に９０１で示す領域）が存在するからである。しかし、本実施形態に係る構成では、上述したように、第１の面７において寄生容量が発生しない構造となっているため、第１の面７の面積が大きいことは問題にならない。
【００９５】
本発明に係る実施の形態は、以上説明した実施の形態に限定されず、他の種々の実施形態が考えられる。
【００９６】
上述の実施形態では、絶縁性基板３に封止部材ガイド部１５が設けられているが、これを設けないことも可能である。図１１に封止部材ガイド部を有しない光学素子２４を示す。
光学素子２４においても、絶縁性基板３の第１の面７において意図しないキャパシタは存在しない。
【図面の簡単な説明】
【００９７】
【図１】第１の実施形態に係る光学素子の断面図である。
【図２】第１の実施形態に係る光学素子の平面図である。
【図３】貫通孔の周面と、２液の界面の接触の様子を示す模式図である。
【図４】入射光及び透過光の経路を示す図である。
【図５】本発明に係る光学素子の製造方法（基板工程）を示す図である。
【図６】本発明に係る光学素子の製造方法（液入れ工程）を示す図である。
【図７】本発明に係る光学素子の製造方法（封止工程）を示す図である。
【図８】スパッタリング法による導電層の作製の様子を示す図である。
【図９】第２の実施形態に係る光学素子の断面図である。
【図１０】第２の実施形態に係る光学素子の平面図である。
【図１１】第１の実施形態に係る光学素子の変形例の断面図である。
【符号の説明】
【００９８】
１    光学素子
２    貫通孔
３    絶縁性基板
４    第１の透明基板
５    第２の透明基板
６    液収容部
７    第１の面
８    第２の面
９    導電層
１０  絶縁層
１２  第１の液体
１３  第２の液体
１６  真空槽
１７  スパッタリングターゲット
【図１】
0005256843.tif 000002
【図２】
0005256843.tif 000003
【図３】
0005256843.tif 000004
【図４】
0005256843.tif 000005
【図５】
0005256843.tif 000006
【図６】
0005256843.tif 000007
【図７】
0005256843.tif 000008
【図８】
0005256843.tif 000009
【図９】
0005256843.tif 000010
【図１０】
0005256843.tif 000011
【図１１】
0005256843.tif 000012